(57)【要約】【課題】ＬＡＮケーブルなどの４本の信号線を用いるものでありながら、音声信号をＲＧＢ信号と共に映像出力装置に出力することの出来る、ケーブル延長装置の提供。【解決手段】信号送信器２の同期信号重畳出力手段４０は、同期信号ＨＤ、ＶＤを重畳したいずれかの色信号ＢＰと他の色信号Ｒ、Ｇを、また、信号送信器２の音声信号送信手段４４は、同期信号の極性情報ＰＩが付加された音声信号ＬＲＡＰＩを、４本の信号線５Ａ、５Ｂ、５Ｃ、５Ｄを介して信号受信器３に送信する。信号受信器３の同期信号復元出力手段５１は、極性情報ＰＩに基づいて色信号ＢＰから分離された同期信号から、信号送信器２に入力された同期信号ＨＤ、ＶＤを復元して、映像出力装置に出力するので、信号線５Ａ、５Ｂ、５Ｃ、５Ｄが４本でありながら、映像入力ソースからの映像と共に音声を、映像出力装置から出力させることが出来る。【選択図】  図３
2004328661.tif 000002
【特許請求の範囲】
【請求項１】
映像信号の入力を受け付ける信号送信器と、該信号送信器と４本の信号線を介して接続され、該信号線を介して前記信号送信器から受信した前記映像信号を出力する、信号受信器とを有し、前記信号送信器に入力された映像信号がＲＧＢ信号の場合に、該ＲＧＢ信号を構成するＲ、Ｇ、Ｂの色信号を、前記４本の信号線のうちの３本の信号線を介して、前記信号受信器にそれぞれ送信することの出来る、ケーブル延長装置において、
前記信号送信器は、
該信号送信器に入力されたＲＧＢ信号に対応する、同期信号の極性を判定する、同期信号極性判定手段と、
前記同期信号極性判定手段が前記同期信号の極性を正と判定した場合に、前記同期信号の極性を反転する、同期信号極性反転手段と、
前記信号送信器に入力されたＲＧＢ信号を構成する、いずれかの色信号に、前記同期信号を重畳させ、該同期信号が重畳された色信号を前記色信号に対応する信号線を介して出力する、同期信号重畳出力手段と、
音声信号の入力を受け付ける、音声信号受付手段と、
前記音声信号受付手段に入力された音声信号の非データ領域に、前記同期信号の極性情報を付加する、極性情報付加手段と、
前記極性情報付加手段が前記極性情報を付加した音声信号を、前記４本の信号線のうち、前記ＲＧＢ信号が送信されていない１本の信号線を介して、前記信号受信器に送信する、音声信号送信手段とを有し、
前記信号受信器は、
前記信号送信器から前記信号線を介して送信された、前記同期信号重畳出力手段が前記同期信号を重畳した色信号から、前記同期信号を分離する、同期信号分離手段と、
前記信号送信器から、前記ＲＧＢ信号が送信されていない１本の信号線を介して送信された、前記極性情報付加手段が前記極性情報を付加した音声信号から、前記極性情報を分離する、極性情報分離手段と、
前記極性情報分離手段が分離した極性情報に基づいて、前記同期信号分離手段が分離した同期信号から、前記信号送信器に入力されたＲＧＢ信号に対応する同期信号を復元し出力する、同期信号復元出力手段と、
前記極性情報分離手段が前記極性情報を分離した音声信号を出力する、音声信号出力手段とを有することを特徴とするケーブル延長装置。
【請求項２】
前記信号送信器の音声信号受付手段に入力された音声信号は、アナログ信号であり、
前記信号送信器は、前記音声信号受付手段に入力された音声信号を、デジタル信号に変換する、ＡＤ変換手段を有し、
前記信号送信器の極性情報付加手段は、前記ＡＤ変換手段がデジタル信号に変換した音声信号の非データ領域に、前記同期信号の極性情報を付加し、
前記信号受信器は、該信号受信器の極性情報分離手段が前記極性情報を分離した音声信号を、アナログ信号に変換する、ＤＡ変換手段を有し、
前記信号受信器の音声信号出力手段は、前記ＤＡ変換手段がアナログ信号に変換した音声信号を出力することを特徴とする、請求項１記載のケーブル延長装置。
【請求項３】
前記信号送信器の音声信号受付手段に入力される音声信号は、複数であり、
前記信号送信器は、前記音声信号受付手段に入力された複数の音声信号を、シリアル信号に変換する、シリアル変換手段を有し、
前記信号送信器の極性情報付加手段は、前記シリアル変換手段がシリアル信号に変換した音声信号の非データ領域に、前記同期信号の極性情報を付加し、
前記信号受信器は、該信号受信器の極性情報分離手段が前記極性情報を分離した音声信号を、前記複数の音声信号に復元する、音声信号復元手段を有し、
前記信号受信器の音声信号出力手段は、前記音声信号復元手段が復元した複数の音声信号を出力することを特徴とする、請求項１記載のケーブル延長装置。
【請求項４】
前記４本の信号線は、カテゴリ５のＬＡＮケーブルを構成することを特徴とする、請求項１記載のケーブル延長装置。
【請求項５】
前記信号送信器は、
前記信号送信器に入力された映像信号に対応する同期信号が、該映像信号と別個に入力されたか否かを判定する、同期信号別個入力判定手段を有し、
前記同期信号別個入力判定手段が、前記信号送信器に入力された映像信号に対応する同期信号が該映像信号と別個に入力されたと判定した場合に、前記信号送信器の同期信号極性判定手段に対して、前記信号送信器に入力されたＲＧＢ信号に対応する、前記同期信号の極性を判定するように指令する、同期信号極性判定指令手段と有することを特徴とする、請求項１記載のケーブル延長装置。
【発明の詳細な説明】
【０００１】
【発明の属する技術分野】
本発明は、映像入力ソースからの映像を、ＬＡＮケーブルなどの４本の信号線を介して、該映像入力ソースから離れた場所にある、映像出力装置に表示することの出来る、ケーブル延長装置に係り、詳しくは、映像出力装置に、映像と共に音声も出力することの出来る、ケーブル延長装置に関する。
【０００２】
【従来の技術】
従来、この種のケーブル延長装置は、映像入力ソースからの映像信号として、例えば、色信号（Ｒ信号、Ｇ信号、Ｂ信号）と同期信号（水平方向、垂直方向）からなる、ＲＧＢ信号を、カテゴリ５のＬＡＮケーブルなどの４本の信号線を介して、映像出力装置に出力できるように構成されている。これにより、映像入力ソースと映像出力装置の間の距離を、ＢＮＣ（Ｂａｙｏｎｅｔ  Ｎｅｉｌｌ  Ｃｏｎｃｅｌｍａｎ）コネクタやＤＳＵＢコネクタを備えた、ケーブルで延長することなく、映像入力ソースからの映像を、離れた場所にある映像出力装置により表示することが出来るので、ケーブルに伴うコストを低減させつつ、効果的なプレゼンテーションを実現することが出来る。
【０００３】
【発明が解決しようとする課題】
ところで、ＰＣ（パーソナルコンピュータ）などの映像入力ソースでは、音声を伴う動画を表示できる機能を有しており、より効果的なプレゼンテーションを実現する上で、上述したケーブル延長装置を用いて、映像出力装置に、音声信号をＲＧＢ信号と共に出力できることが望まれていた。
【０００４】
しかし、上述したケーブル延長装置では、映像入力ソースと映像出力装置の間のケーブルが４本の信号線からなるため、音声信号をＲＧＢ信号と共に映像出力装置に出力するには、さらに信号線を増やす必要があり、上述したＬＡＮケーブルを使用できないため、ケーブルのコストを上昇させてしまう不都合があった。
【０００５】
一方、信号線を増やすことなく、音声信号を映像出力装置に出力するには、例えば、同期信号を、色信号や音声信号に重畳させる方策があるが、同期信号には極性があるため、そのまま重畳させるだけでは互いに信号が混ざり合い、同期信号を元通りに復元することは困難であった。
【０００６】
本発明は、上記した事情を鑑み、ＬＡＮケーブルなどの４本の信号線を用いるものでありながら、音声信号をＲＧＢ信号と共に映像出力装置に出力することの出来る、ケーブル延長装置を提供することを目的とするものである。
【０００７】
【課題を解決するための手段】
請求項１の発明は、映像信号（例えばＲＧＢ信号、コンポジット信号、コンポーネント信号）の入力を受け付ける信号送信器（２）と、該信号送信器（２）と４本の信号線（５Ａ、５Ｂ、５Ｃ、５Ｄ）を介して接続され、該信号線を介して前記信号送信器（２）から受信した前記映像信号を出力する、信号受信器（３）とを有し、前記信号送信器（２）に入力された映像信号がＲＧＢ信号の場合に、該ＲＧＢ信号を構成するＲ、Ｇ、Ｂの色信号（Ｒ、Ｇ、Ｂ）を、前記４本の信号線のうちの３本の信号線（例えば５Ａ、５Ｂ、５Ｃ）を介して、前記信号受信器（３）にそれぞれ送信することの出来る、ケーブル延長装置（１）において、
前記信号送信器（２）は、
該信号送信器（２）に入力されたＲＧＢ信号に対応する、同期信号（ＨＤ、ＶＤ）の極性を判定する、同期信号極性判定手段（４１ａ）と、
前記同期信号極性判定手段（４１ａ）が前記同期信号（ＨＤ、ＶＤ）の極性を正と判定した場合に、前記同期信号（ＨＤ、ＶＤ）の極性を反転する、同期信号極性反転手段（４２）と、
前記信号送信器（２）に入力されたＲＧＢ信号を構成する、いずれかの色信号（例えばＢ）に、前記同期信号（ＨＤ、ＶＤ）を重畳させ、該同期信号が重畳された色信号を前記色信号（例えばＢ）に対応する信号線（例えば５Ｃ）を介して出力する、同期信号重畳出力手段（４０）と、
音声信号（ＬＡ、ＲＡ）の入力を受け付ける、音声信号受付手段（４３）と、
前記音声信号受付手段（４３）に入力された音声信号（ＬＡ、ＲＡ）の非データ領域（ＮＤＡ）に、前記同期信号の極性情報（ＰＩ）を付加する、極性情報付加手段（４４）と、
前記極性情報付加手段（４４）が前記極性情報（ＰＩ）を付加した音声信号（ＬＲＡＰＩ）を、前記４本の信号線（５Ａ、５Ｂ、５Ｃ、５Ｄ）のうち、前記ＲＧＢ信号が送信されていない１本の信号線（例えば５Ｄ）を介して、前記信号受信器（３）に送信する、音声信号送信手段（４４）とを有し、
前記信号受信器（３）は、
前記信号送信器（２）から前記信号線（例えば５Ｃ）を介して送信された、前記同期信号重畳出力手段（４０）が前記同期信号（ＨＤ、ＶＤ）を重畳した色信号（例えばＢＰ）から、前記同期信号（ＨＤ、ＶＤ）を分離する、同期信号分離手段（５０）と、
前記信号送信器（２）から、前記ＲＧＢ信号が送信されていない１本の信号線（例えば５Ｄ）を介して送信された、前記極性情報付加手段（４４）が前記極性情報（ＰＩ）を付加した音声信号（ＬＲＡＰＩ）から、前記極性情報（ＰＩ）を分離する、極性情報分離手段（５２）と、
前記極性情報分離手段（５２）が分離した極性情報（ＰＩ）に基づいて、前記同期信号分離手段（５０）が分離した同期信号（ＨＤ、ＶＤ）から、前記信号送信器（２）に入力されたＲＧＢ信号に対応する同期信号（ＨＤ、ＶＤ）を復元し出力する、同期信号復元出力手段（５１）と、
前記極性情報分離手段（５２）が前記極性情報（ＰＩ）を分離した音声信号（ＬＡ、ＲＡ）を出力する、音声信号出力手段（５３）とを有することを特徴として構成される。
【０００８】
請求項２の発明は、前記信号送信器（２）の音声信号受付手段（４３）に入力された音声信号（ＬＡ、ＲＡ）は、アナログ信号であり、
前記信号送信器（２）は、前記音声信号受付手段（４３）に入力された音声信号（ＬＡ、ＲＡ）を、デジタル信号に変換する、ＡＤ変換手段（４３）を有し、
前記信号送信器（２）の極性情報付加手段（４４）は、前記ＡＤ変換手段（４３）がデジタル信号に変換した音声信号（ＬＡＤ、ＲＡＤ）の非データ領域（ＮＤＡ）に、前記同期信号の極性情報（ＰＩ）を付加し、
前記信号受信器（３）は、該信号受信器（３）の極性情報分離手段（５２）が前記極性情報（ＰＩ）を分離した音声信号を、アナログ信号に変換する、ＤＡ変換手段（５３）を有し、
前記信号受信器（３）の音声信号出力手段（５３）は、前記ＤＡ変換手段（５３）がアナログ信号に変換した音声信号（ＬＡ、ＲＡ）を出力することを特徴として構成される。
【０００９】
請求項３の発明は、前記信号送信器（２）の音声信号受付手段（４３）に入力される音声信号（ＬＡ、ＲＡ）は、複数であり、
前記信号送信器（２）は、前記音声信号受付手段（４３）に入力された複数の音声信号（ＬＡ、ＲＡ）を、シリアル信号に変換する、シリアル変換手段（４３、４４）を有し、
前記信号送信器（２）の極性情報付加手段（４４）は、前記シリアル変換手段（４３、４４）がシリアル信号に変換した音声信号（ＬＲＡＤ）の非データ領域（ＮＤＡ）に、前記同期信号の極性情報（ＰＩ）を付加し、
前記信号受信器（３）は、該信号受信器（３）の極性情報分離手段（５２）が前記極性情報（ＰＩ）を分離した音声信号（ＬＲＡＤ）を、前記複数の音声信号（ＬＡ、ＲＡ）に復元する、音声信号復元手段（５２、５３）を有し、
前記信号受信器（３）の音声信号出力手段（５３）は、前記音声信号復元手段（５２、５３）が復元した複数の音声信号（ＬＡ、ＲＡ）を出力することを特徴として構成される。
【００１０】
請求項４の発明は、前記４本の信号線（５Ａ、５Ｂ、５Ｃ、５Ｄ）は、カテゴリ５のＬＡＮケーブル（５）を構成することを特徴として構成される。
【００１１】
請求項５の発明は、前記信号送信器（２）は、
前記信号送信器（２）に入力された映像信号に対応する同期信号（ＨＤ、ＶＤ）が、該映像信号と別個に入力されたか否かを判定する、同期信号別個入力判定手段（４１）を有し、
前記同期信号別個入力判定手段（４１）が、前記信号送信器（２）に入力された映像信号に対応する同期信号（ＨＤ、ＶＤ）が該映像信号と別個に入力されたと判定した場合に、前記信号送信器（２）の同期信号極性判定手段（４１ａ）に対して、前記信号送信器（２）に入力されたＲＧＢ信号に対応する、前記同期信号（ＨＤ、ＶＤ）の極性を判定するように指令する、同期信号極性判定指令手段（４１）と有することを特徴として構成される。
【００１２】
【発明の効果】
請求項１の発明によれば、信号送信器（２）の同期信号極性判定手段（４１ａ）は、信号送信器（２）に入力されたＲＧＢ信号に対応する、同期信号（ＨＤ、ＶＤ）の極性を判定し、信号送信器（２）の同期信号極性反転手段（４２）は、同期信号極性判定手段（４１ａ）が同期信号（ＨＤ、ＶＤ）の極性を正と判定した場合に、該同期信号（ＨＤ、ＶＤ）の極性を反転する。信号送信器（２）の同期信号重畳出力手段（４０）は、信号送信器（２）に入力されたＲＧＢ信号を構成する、いずれかの色信号（例えばＢ）に、同期信号（ＨＤ、ＶＤ）を重畳させ、該同期信号が重畳された色信号を、該色信号（例えばＢ）に対応する信号線（例えば５Ｃ）を介して出力する。信号送信器（２）の音声信号受付手段（４３）は、音声信号（ＬＡ、ＲＡ）の入力を受け付け、信号送信器（２）の極性情報付加手段（４４）は、該音声信号受付手段（４３）に入力された音声信号（ＬＡ、ＲＡ）の非データ領域（ＮＤＡ）に、同期信号の極性情報（ＰＩ）を付加し、信号送信器（２）の音声信号送信手段（４４）は、前記極性情報付加手段（４４）が極性情報（ＰＩ）を付加した音声信号（ＬＲＡＰＩ）を、４本の信号線（５Ａ、５Ｂ、５Ｃ、５Ｄ）のうち、ＲＧＢ信号が送信されていない１本の信号線（例えば５Ｄ）を介して、信号受信器（３）に送信する。
【００１３】
一方、信号受信器（３）の同期信号分離手段（５０）は、信号送信器（２）から信号線（例えば５Ｃ）を介して送信された、前記同期信号重畳出力手段（４０）が同期信号（ＨＤ、ＶＤ）を重畳した色信号（例えばＢＰ）から、同期信号（ＨＤ、ＶＤ）を分離し、信号受信器（３）の極性情報分離手段（５２）は、信号送信器（２）から、ＲＧＢ信号が送信されていない１本の信号線（例えば５Ｄ）を介して送信された、前記極性情報付加手段（４４）が極性情報（ＰＩ）を付加した音声信号（ＬＲＡＰＩ）から、極性情報（ＰＩ）を分離する。信号受信器（３）の同期信号復元出力手段（５１）は、前記極性情報分離手段（５２）が分離した極性情報（ＰＩ）に基づいて、前記同期信号分離手段（５０）が分離した同期信号（ＨＤ、ＶＤ）から、信号送信器（２）に入力されたＲＧＢ信号に対応する同期信号（ＨＤ、ＶＤ）を復元して出力し、信号受信器（３）の音声信号出力手段（５３）は、前記極性情報分離手段（５２）が極性情報（ＰＩ）を分離した音声信号（ＬＡ、ＲＡ）を出力するので、信号線（５Ａ、５Ｂ、５Ｃ、５Ｄ）が４本でありながら、ＲＧＢ信号を構成するＲ、Ｇ、Ｂ信号（Ｒ、Ｇ、Ｂ）、及びこれに対応する同期信号（ＨＤ、ＶＤ）と共に、音声信号（ＬＡ、ＲＡ）を、映像出力装置（例えば図１に示す１０）に出力することが出来る。これにより、ケーブルのコストを上昇させることなく、映像入力ソース（例えば図１に示す９）からの映像と共に音声を、前記映像出力装置から出力させることが出来、効果的なプレゼンテーションを実現することが出来る。
【００１４】
請求項２の発明によれば、信号送信器（２）のＡＤ変換手段（４３）は、音声信号受付手段（４３）に入力された、アナログ信号の音声信号（ＬＡ、ＲＡ）を、デジタル信号に変換し、信号送信器（２）の極性情報付加手段（４４）は、前記ＡＤ変換手段（４３）がデジタル信号に変換した音声信号（ＬＡＤ、ＲＡＤ）の非データ領域（ＮＤＡ）に、同期信号の極性情報（ＰＩ）を付加する。信号受信器（３）のＤＡ変換手段（５３）は、該信号受信器（３）の極性情報分離手段（５２）が極性情報（ＰＩ）を分離した音声信号を、アナログ信号に変換し、信号受信器（３）の音声信号出力手段（５３）は、ＤＡ変換手段（５３）がアナログ信号に変換した音声信号（ＬＡ、ＲＡ）を出力するので、信号送信器（２）に入力される音声信号（ＬＡ、ＲＡ）がアナログ信号であっても、該音声信号（ＬＡ、ＲＡ）に、極性情報（ＰＩ）を付加できる非データ領域（ＮＤＡ）を設けることが出来、音声信号の種類（アナログ信号又はデジタル信号）に関らず、映像と共に音声を、映像出力装置から出力させることが出来る。
【００１５】
請求項３の発明によれば、前記信号送信器（２）のシリアル変換手段（４３、４４）は、該信号送信器（２）の音声信号受付手段（４３）に入力される複数の音声信号（ＬＡ、ＲＡ）を、シリアル信号に変換し、信号送信器（２）の極性情報付加手段（４４）は、前記シリアル変換手段（４３、４４）がシリアル信号に変換した音声信号（ＬＲＡＤ）の非データ領域（ＮＤＡ）に、同期信号の極性情報（ＰＩ）を付加する。信号受信器（３）の音声信号復元手段（５２、５３）は、該信号受信器（３）の極性情報分離手段（５２）が極性情報（ＰＩ）を分離した音声信号（ＬＲＡＤ）を、前記複数の音声信号（ＬＡ、ＲＡ）に変換し、信号受信器（３）の音声信号出力手段（５３）は、前記音声信号復元手段（５２、５３）が復元した複数の音声信号（ＬＡ、ＲＡ）を出力するので、音声信号受付手段（４３）に入力される音声信号（ＬＡ、ＲＡ）が、複数であっても、該複数の音声信号（ＬＡ、ＲＡ）を、ＲＧＢ信号が送信されていない１本の信号線（例えば５Ｄ）を介して、信号受信器（３）に送信することが出来、４本の信号線（５Ａ、５Ｂ、５Ｃ、５Ｄ）の本数を増やすことなく、ＲＧＢ信号と共に当該音声信号（ＬＡ、ＲＡ）を、映像出力装置に出力することが出来る。
【００１６】
請求項４の発明によれば、４本の信号線（５Ａ、５Ｂ、５Ｃ、５Ｄ）は、カテゴリ５のＬＡＮケーブル（５）を構成するので、例えば、映像入力ソースとしてパーソナルコンピュータ（例えば図１に示す９）などを用いる場合であっても、信号送信器（２）と信号受信器（３）を結ぶ伝送ラインとして、ＢＮＣケーブルやＤＳＵＢケーブルを使用する必要がなくなり、前記ＬＡＮケーブル（５）は比較的廉価なことから、ケーブルに伴うコストを低減することが出来る。しかも、ＬＡＮケーブル（５）は、上記ＢＮＣケーブルやＤＳＵＢケーブルに比べて、ケーブル径が細く柔らかいため、ケーブルの取り扱いや工事が容易になり、好都合である。
【００１７】
請求項５の発明によれば、信号送信器（２）の同期信号別個入力判定手段（４１）は、信号送信器（２）に入力された映像信号に対応する同期信号（ＨＤ、ＶＤ）が、該映像信号と別個に入力されたか否かを判定し、該同期信号別個入力判定手段（４１）が、信号送信器（２）に入力された映像信号に対応する同期信号（ＨＤ、ＶＤ）が該映像信号と別個に入力されたと判定した場合に、信号送信器（２）の信号極性判定指令手段（４１）は、同期信号極性判定手段（４１ａ）に対して、信号送信器（２）に入力されたＲＧＢ信号に対応する、同期信号（ＨＤ、ＶＤ）の極性を判定するように指令するので、入力される映像信号がＲＧＢ信号の場合にのみ、同期信号（ＨＤ、ＶＤ）の極性が判定されて、極性が負の同期信号（ＨＤ、ＶＤ）が色信号（例えばＢ）に重畳され、該色信号は、他の色信号と共に信号受信器（３）に送信される。従って、入力される映像信号が、例えば、コンポジット信号やコンポーネント信号の場合は、上述した重畳する処理が行われることなく、これらの映像信号は、そのままの形で信号受信器（３）に送信される。これにより、映像信号の種類（例えばＲＧＢ信号、コンポジット信号、コンポーネント信号）に応じた制御をいちいち手動で切り替える必要がなくなり、簡単な操作で効果的なプレゼンテーションを実現することが出来る。
【００１８】
なお、括弧内の番号などは、本発明の理解を助けるために、図面における対応する要素を便宜的に示すものである。従って、本記述は図面上の記載に限定拘束されるものではなく、また、この符号の記載により本発明を解釈すべきでない。
【００１９】
【発明の実施の形態】
図１は、本発明が適用される、ケーブル延長装置の一例を示す外観図、図２は、信号送信器及び信号受信器の一例を示す外観図であり、（ａ）は信号送信器の背面図、（ｂ）は信号受信器の背面図、図３は、信号送信器及び信号受信器の構成の一例を示すブロック図、図４は、ＲＧＢ信号の一例を示す波形図で、（ａ）は１画面あたりの波形、（ｂ）は垂直同期信号の波形、（ｃ）は水平同期信号の波形、図５は、同期信号を重畳させた色信号の一例を示す波形図で、（ａ）は重畳された垂直同期信号の波形、（ｂ）は重畳された水平同期信号の波形である。
【００２０】
図１は、本発明が適用される、ケーブル延長装置１の一例を示す外観図を示している。ケーブル延長装置１には、信号送信器２と、信号受信器３が設けられている。
【００２１】
信号送信器２は、ＲＧＢ信号が伝送自在なケーブルが接続自在となるように構成されている。該映像信号用のケーブルとしては、例えば、５個のＢＮＣ（Ｂａｙｏｎｅｔ  Ｎｅｉｌｌ  Ｃｏｎｃｅｌｍａｎ）コネクタ（図示せず）をケーブルの両端に備えた、ＢＮＣケーブルや、１５個のオスピンで構成されるＤＳＵＢコネクタ（図示せず）をケーブルの両端に備えた、ＤＳＵＢケーブルなどがある。
【００２２】
なお、ＢＮＣケーブルの場合、コンポジット信号（輝度信号と色差信号が複合された１つの信号）や、ＹＰｂＰｒ信号やＹＣｂＣｒ信号などの、コンポーネント信号（輝度信号と色差信号が分離された３つの信号）の映像信号も伝送自在である。
【００２３】
また、信号送信器２は、音声信号が伝送自在なケーブルが接続自在となるように構成されており、該音声信号用のケーブルとしては、例えば、ＲＣＡピンプラグをケーブルの両端に備えた、ＲＣＡケーブルなどがある。
【００２４】
ケーブル延長装置１には、図１に示すように、映像入力ソースとして例えばパソコン（パーソナルコンピュータ）９が設けられている。図１に示す信号送信器２は、該パソコン９の本体９Ａと、例えばＲＣＡケーブル７Ａを介して、また、該パソコン９のディスプレイ９Ｂと、例えばＢＮＣケーブル６Ａを介して接続されている。なお、映像入力ソースとしては、特にパソコン９に限る必要はなく、ＲＧＢ信号、コンポジット信号、コンポーネント信号などの、映像信号が出力自在であれば、いずれの装置であってもよい。
【００２５】
信号送信器２と信号受信器３は、ＲＪ−４５（Ｒｅｇｉｓｔｅｒｅｄ  Ｊａｃｋ−４５）のモジュラプラグ（図示せず）をケーブルの両端に備えた、ＬＡＮケーブルが接続自在となるように構成されている。該ＬＡＮケーブルとしては、ＥＩＡ／ＴＩＡ（米国電子工業会／米国電気通信工業会）の５６８規格で定められる、カテゴリ５（ＣＡＴ５）やカテゴリ６（ＣＡＴ６）の区分に分類される、４本のツイストペア線からなる、ＵＴＰ（Ｕｎｓｈｉｅｌｄ  Ｔｗｉｓｔｅｄ  Ｐａｉｒ）ケーブルがある。
【００２６】
なお、上記ＬＡＮケーブルは、ＥＩＡ／ＴＩＡの区分に分類されるＬＡＮケーブルに限るものでなく、例えば、ＩＳＯ１１８０１、ＪＩＳ  Ｘ５１５０、ＩＥＥＥ８０２．３などの規格で定められる、カテゴリ５やカテゴリ６に相当するＬＡＮケーブルでもよい。また、ＵＴＰに限るものでなく、シールドされた、ＳＴＰ（Ｓｈｅｅｌｄｅｄ  Ｔｗｉｓｔｅｄ  Ｐａｉｒ）ケーブルでもよい。更に、上述したカテゴリ５には、エンハンストカテゴリ５（ＣＡＴ５ｅ）を含むものとする。
【００２７】
ケーブル延長装置１には、図１に示すように、例えば、カテゴリ５のＬＡＮケーブル５（以下、単に「ＬＡＮケーブル５」という）が設けられており、同図に示す信号送信器２と信号受信器３は、ＬＡＮケーブル５を介して接続されている。ＬＡＮケーブル５は、所定のケーブル長（例えば１００ｍ）を有しており、従って、信号送信器２と信号受信器３は、該ＬＡＮケーブル５が接続された状態で、最長、該ケーブル長の距離だけ離れた位置に配置自在である。
【００２８】
一方、信号受信器３は、信号送信器２と同様に、映像信号用のケーブルとして、例えばＢＮＣケーブルやＤＳＵＢケーブルが接続自在となるように構成されており、また、音声信号用のケーブルとして、例えばＲＣＡケーブルなどがある。
【００２９】
ケーブル延長装置１には、図１に示すように、映像出力装置として例えばプラズマディスプレイ１０が設けられており、図１に示す信号受信器３は、例えば、ＢＮＣケーブル６Ｂ及びＲＣＡケーブル７Ｂを介して、該プラズマディスプレイ１０と接続されている。なお、映像出力装置としては、特にプラズマディスプレイ１０に限る必要はなく、ＲＧＢ信号、コンポジット信号、コンポーネント信号などの、映像信号を入力・表示自在であれば、いずれの装置であってもよい。
【００３０】
図２は、信号送信器２及び信号受信器３の一例を示す外観図であり、（ａ）は信号送信器２の背面図、（ｂ）は信号受信器３の背面図を示している。
【００３１】
信号送信器２は、図２（ａ）に示すように、筐体２０を有しており、筐体２０には、端子盤２０ａが設けられている。端子盤２０ａには、入力端子として、ＢＮＣケーブル用入力端子２１、ＤＳＵＢケーブル用入力端子２２、及び音声信号入力端子２３が設けられており、また出力端子として、ＬＡＮケーブル用出力端子２５ａ、２５ｂが設けられている。
【００３２】
ＢＮＣケーブル用入力端子２１は、ＲＧＢ信号が入力自在な、５個の入力端子により構成されている。具体的には、ＢＮＣケーブル用入力端子２１は、ＲＧＢ信号を構成する色信号である、Ｒ（赤）信号Ｒ、Ｇ（緑）信号Ｇ、及びＢ（青）信号Ｂに、それぞれ対応する、Ｒ入力端子２１Ｒ、Ｇ入力端子２１Ｇ、及びＢ入力端子２１Ｂと、ＲＧＢ信号に対応する同期信号である、水平同期信号ＨＤ、及び垂直同期信号ＶＤに、それぞれ対応する、ＨＤ入力端子２１Ｈ、及びＶＤ入力端子２１Ｖとを有している。
【００３３】
なお、以下の説明では、特に区別の必要がないときは、Ｒ信号Ｒ、Ｇ信号Ｇ、及びＢ信号Ｂを、単に、色信号Ｒ、Ｇ、Ｂと表現し、また、水平同期信号ＨＤ、及び垂直同期信号ＶＤを、単に、同期信号ＨＤ、ＶＤと表現する。
【００３４】
また、上記ＢＮＣケーブル用入力端子２１のうち、Ｒ入力端子２１Ｒ、Ｇ入力端子２１Ｇ、及びＢ入力端子２１Ｂは、いずれも、コンポジット信号が入力自在となるように構成されている。更に、これら３つの入力端子２１Ｒ、２１Ｇ、２１Ｂ全体で、コンポーネント信号も入力自在となるように構成されている。従って、映像信号がＲＧＢ信号である場合にのみ、ＨＤ入力端子２１Ｈ、及びＶＤ入力端子２１Ｖに、信号が入力されることとなる。
【００３５】
ＤＳＵＢケーブル用入力端子２２は、上述したＢＮＣケーブル用入力端子２１と同様に、ＲＧＢ信号が入力自在であり、「Ｄ」形状のシェル２２ａ内を３列に配列された、１５個のメスピンからなる入力ピン２２Ｒ、２２Ｇ、２２Ｂ、２２Ｈ、２２Ｖ、…  により構成されている。具体的には、ＤＳＵＢケーブル用入力端子２２は、Ｒ信号、Ｇ信号、及びＢ信号に、それぞれ対応する、Ｒ入力ピン２２Ｒ、Ｇ入力ピン２２Ｇ、及びＢ入力ピン２２Ｂと、水平同期信号ＨＤ、及び垂直同期信号ＶＤに、それぞれ対応する、ＨＤ入力ピン２２Ｈ、及びＶＤ入力ピン２２Ｖとを有している。
【００３６】
これら、ＢＮＣケーブル用入力端子２１とＤＳＵＢケーブル用入力端子２２は、それぞれ入力チャンネルとして機能しており、即ち、信号送信器２は、２つの入力チャンネルを有している。また、信号送信器２には、例えば正面側（図２の紙面裏側）に、該入力チャンネルの選択スイッチ（図示せず）が設けられている。従って、信号送信器２は、オペレータによる該選択スイッチの操作により、いずれかの入力チャンネルから入力された映像信号を、出力できるように構成されている。なお、入力チャンネル数は、特に２つである必要はなく、単数又は３以上の複数のいずれでもよい。
【００３７】
音声信号入力端子２３は、アナログのステレオ音声信号が入力自在な、ＲＣＡピンジャックにより構成されており、左の音声信号ＬＡに対応する、左音声信号入力端子２３Ｌと、右の音声信号ＲＡに対応する、右音声信号入力端子２３Ｒとを有している。なお、以下の説明では、特に区別の必要がないときは、左の音声信号ＬＡ、及び右の音声信号ＲＡを、単に、音声信号ＬＡ、ＲＡと表現する。
【００３８】
ＬＡＮケーブル用出力端子２５ａ、２５ｂは、上述したＲＪ−４５のモジュラジャックにより構成され、ＬＡＮケーブル５のモジュラプラグに対応して、８極の接触子（図示せず）を有している。
【００３９】
ところで、ＬＡＮケーブル５は、上述したように、４本のツイストペア線を有している。各ツイストペア線は、ノイズを低減するように互いに逆論理の信号を平衡伝送する、２本の信号線が撚り合わせて構成されている。従って、計８本の信号線が、上記８極の接触子にそれぞれ対応している。
【００４０】
なお、以下の説明では、発明の理解を容易にするために、各ツイストペア線は１本の信号線として、ＬＡＮケーブル５は、４本の信号線５Ａ、５Ｂ、５Ｃ、５Ｄ（図３にて図示）で構成されているものとする。従って、ＬＡＮケーブル用出力端子２５ａ、２５ｂの接触子については、これら信号線５Ａ、５Ｂ、５Ｃ、５Ｄに、それぞれ対応する、出力接触子２５Ｒ、２５Ｇ、２５Ｂ、２５Ａ（図３にて図示）のみについて説明する。
【００４１】
また、信号送信器２には、ＢＮＣケーブル用入力端子２１に入力された映像信号、又はＤＳＵＢケーブル用入力端子２２に入力された映像信号と、音声信号入力端子２３に入力された音声信号とを、ＬＡＮケーブル用出力端子２５ａ、２５ｂに分配する、分配手段（図示せず）が設けられている。なお、ＬＡＮケーブル用出力端子２５ａ、２５ｂの数は、特に２つである必要はなく、単数又は３つ以上の複数のいずれでもよい。その場合、上記分配手段を、その数に応じた信号を各出力端子に分配できるように構成する。
【００４２】
一方、信号受信器３は、図２（ｂ）に示すように、上述した信号送信器２と同様に、筐体３０を有しており、筐体３０には、端子盤３０ａが設けられている。端子盤３０ａには、入力端子として、ＬＡＮケーブル用入力端子３１が設けられており、また出力端子として、ＢＮＣケーブル用出力端子３２、及び音声信号出力端子３３が設けられている。
【００４３】
ＬＡＮケーブル用入力端子３１は、信号送信器２のＬＡＮケーブル用出力端子２５ａ、２５ｂと同様に、ＲＪ−４５のモジュラジャックにより構成され、ＬＡＮケーブル５のモジュラプラグに対応して、８極の接触子（図示せず）を有している。また、以下の説明では、該ＬＡＮケーブル用出力端子２５ａ、２５ｂと同様に、上記８極の接触子のうち、ＬＡＮケーブル５の信号線５Ａ、５Ｂ、５Ｃ、５Ｄにそれぞれ対応する、入力接触子３１Ｒ、３１Ｇ、３１Ｂ、３１Ａ（図３にて図示）のみについて説明する。
【００４４】
ＢＮＣケーブル用出力端子３２は、信号送信器２のＢＮＣケーブル用入力端子２１と同様に、ＲＧＢ信号が出力自在な、５個の出力端子により構成されており、Ｒ信号、Ｇ信号、及びＢ信号に、それぞれ対応する、Ｒ出力端子３２Ｒ、Ｇ出力端子３２Ｇ、及びＢ出力端子３２Ｂと、水平同期信号ＨＤ、及び垂直同期信号ＶＤに、それぞれ対応する、ＨＤ出力端子３２Ｈ、及びＶＤ出力端子３２Ｖとを有している。
【００４５】
また、上記ＢＮＣケーブル用出力端子３２のうち、Ｒ入力端子３２Ｒ、Ｇ出力端子３２Ｇ、及びＢ出力端子３２Ｂは、いずれも、コンポジット信号が出力自在となるように構成されており、また、これら３つの出力端子３２Ｒ、３２Ｇ、３２Ｂ全体で、コンポーネント信号も出力自在となるように構成されている。
【００４６】
音声信号出力端子３３は、信号送信器２の音声信号入力端子２３と同様に、アナログのステレオ音声信号が出力自在な、ＲＣＡピンジャックにより構成されており、左の音声信号ＬＡに対応する、左音声信号出力端子３３Ｌと、右の音声信号ＲＡに対応する、右音声信号出力端子３３Ｒとを有している。
【００４７】
図３は、信号送信器２及び信号受信器３の構成の一例を示すブロック図を示している。図中左方に示す信号送信器２は、同期信号付加部４０、同期信号有無・正負判定部４１、同期信号負極性化部４２、ＡＤ変換部４３、及びデータ加工部４４などを有している。
【００４８】
同期信号付加部４０は、ＢＮＣケーブル用入力端子２１又はＤＳＵＢケーブル用入力端子２２と、分配手段（図示せず）を介して接続されている。具体的には、選択スイッチ（図示せず）により、入力チャンネルが、ＢＮＣケーブル用入力端子２１が選択された場合は、Ｒ入力端子２１Ｒ、Ｇ入力端子２１Ｇ、及びＢ入力端子２１Ｂに接続され、また、ＤＳＵＢケーブル用入力端子２２が選択された場合は、Ｒ入力ピン２２Ｒ、Ｇ入力ピン２２Ｇ、及びＢ入力ピン２２Ｂに接続される。
【００４９】
同期信号有無・正負判定部４１及び同期信号負極性化部４２は、上記同期信号付加部４０と同様に、ＢＮＣケーブル用入力端子２１又はＤＳＵＢケーブル用入力端子２２と、分配手段（図示せず）を介して接続されている。従って、同様に、選択スイッチ（図示せず）により、ＢＮＣケーブル用入力端子２１が選択された場合は、ＨＤ入力端子２１Ｈ、及びＶＤ入力端子２１Ｖに接続され、また、ＤＳＵＢケーブル用入力端子２２が選択された場合は、ＨＤ入力ピン２２Ｈ、及びＶＤ入力ピン２２Ｖに接続される。更に、同期信号負極性化部４２は、同期信号付加部４０に接続されている。
【００５０】
また、ＡＤ変換部４３は、音声信号入力端子２３を構成する、左音声信号入力端子２３Ｌ、及び右音声信号入力端子２３Ｒに接続されており、ＡＤ変換部４３及び同期信号有無・正負判定部４１は、データ加工部４４に接続されている。
【００５１】
そして、同期信号付加部４０は、ＬＡＮケーブル用出力端子２５ａ、２５ｂのうち、出力接触子２５Ｒ、２５Ｇ、２５Ｂに接続されており、また、データ加工部４４は、ＬＡＮケーブル用出力端子２５ａ、２５ｂのうち、出力接触子２５Ａに接続されている。
【００５２】
一方、図中右方に示す信号受信器３は、同期信号分離部５０、同期信号復元部５１、音声信号復元部５２、及びＤＡ変換部５３などを有している。同期信号分離部５０は、ＬＡＮケーブル用入力端子３１のうち、入力接触子３１Ｒ、３１Ｇ、３１Ｂに接続されている。また、音声信号復元部５２は、ＬＡＮケーブル用入力端子３１のうち、入力接触子３１Ａに接続されている。
【００５３】
また、同期信号分離部５０及び音声信号復元部５２は、同期信号復元部５１に接続されており、音声信号復元部５２は、ＤＡ変換部５３に接続されている。そして、同期信号分離部５０は、ＢＮＣケーブル用出力端子３２のうち、Ｒ出力端子３２Ｒ、Ｇ出力端子３２Ｇ、及びＢ出力端子３２Ｂに接続されており、また、同期信号復元部５１は、ＢＮＣケーブル用出力端子３２のうち、ＨＤ出力端子３２Ｈ、及びＶＤ出力端子３２Ｖに接続されている。更に、ＤＡ変換部５３は、音声信号出力端子３３を構成する、左音声信号出力端子３３Ｌ、及び左音声信号出力端子３３Ｒに接続されている。
【００５４】
ケーブル延長装置１は、以上のような構成を有するので、映像入力ソースとして、例えばパソコン９からの映像と音声を、映像出力装置として、例えばプラズマディスプレイ１０に出力させるには、オペレータは、パソコン９、信号送信器２、信号受信器３、及びプラズマディスプレイ１０の間を、それぞれ所定のケーブルを介して接続する。
【００５５】
ここでは、簡便な説明とするために、図１に示すように、映像入力ソースをパソコン９のみとして、該パソコン９をＢＮＣケーブル６Ａ及びＲＣＡケーブル７Ａを介して、信号送信器２に接続したとする。また、映像入力ソースをプラズマディスプレイ１０のみとして、該プラズマディスプレイ１０をＢＮＣケーブル６Ｂ及びＲＣＡケーブル７Ｂを介して、信号受信器３に接続すると共に、信号送信器２のＬＡＮケーブル用出力端子２５ａのみを使用して、信号送信器２と信号受信器３を、ＬＡＮケーブル５を介して接続したとする。
【００５６】
従って、図３に示すように、ＬＡＮケーブル用出力端子２５ａの出力接触子２５Ｒは、ＬＡＮケーブル５の信号線５Ａを介して、ＬＡＮケーブル用入力端子３１の入力接触子３１Ｒに接続されることとなる。同様に、出力接触子２５Ｇは、信号線５Ｂを介して入力接触子３１Ｇに、出力接触子２５Ｂは、信号線５Ｃを介して入力接触子３１Ｂに、出力接触子２５Ａは、信号線５Ｄを介して入力接触子３１Ａに接続されることとなる。
【００５７】
この状態で、オペレータが、パソコン９、信号送信器２、信号受信器３、及びプラズマディスプレイ９をそれぞれ起動し、信号送信器２の選択スイッチ（図示せず）により、ＢＮＣケーブル入力端子２１を入力チャンネルとして選択し、パソコン９の入力手段（図示せず）を介して、映像信号及び音声信号の出力指令を入力したとする。
【００５８】
すると、色信号Ｒ、Ｇ、Ｂ、及び同期信号ＨＤ、ＶＤが、パソコンの本体９Ａからディスプレイ９Ｂ及びＢＮＣケーブル６Ａを介して、信号送信器２へ出力される。また、上記ＲＧＢ信号に同期した音声信号ＬＡ、ＲＡが、パソコンの本体９Ａから、ＲＣＡケーブル７Ａを介して、信号送信器２へ出力される。
【００５９】
出力されたＲ信号Ｒ、Ｇ信号Ｇ、及びＢ信号Ｂは、それぞれ、Ｒ入力端子２１Ｒ、Ｇ入力端子２１Ｇ、及びＢ入力端子２１Ｂを介して、同期信号付加部４０に入力される。また、出力された水平同期信号ＨＤ、及び垂直同期信号ＶＤは、それぞれ、入力端子２１Ｈ、及び入力端子２１Ｖを介して、同期信号有無・正負判定部４１、及び同期信号負極化部４２に入力される。更に、出力された左の音声信号ＬＡ、及び右の音声信号ＲＡは、それぞれ、左音声信号入力端子２３Ｌ、及び右音声信号入力端子２３Ｒを介して、ＡＤ変換部４３に入力される。
【００６０】
ところで、同期信号有無・正負判定部４１は、信号送信器２の起動後、ＨＤ入力端子２１ＨとＶＤ入力端子２１Ｖの両方から信号が入力されていることを、論理回路などにより常時検出しており、該検出結果に応じて同期信号ＨＤ、ＶＤが入力されたか否かを判定している。
【００６１】
例えば、映像入力ソースの映像信号として、コンポジット信号やコンポーネント信号が入力された場合、ＨＤ入力端子２１Ｈ及びＶＤ入力端子２１Ｖを介して、何ら信号が入力されないので、同期信号有無・正負判定部４１は、信号を検出しないことから、同期信号ＨＤ、ＶＤが入力されていないと判定する。
【００６２】
同期信号ＨＤ、ＶＤが入力されていないと判定すると、同期信号有無・正負判定部４１は、同期信号ＨＤ、ＶＤの極性の判定（詳細は後述）を行わない。そして、上述したように、同期信号ＨＤ、ＶＤが入力されていないので、同期信号ＨＤ、ＶＤの付加処理（詳細は後述）を実行する、同期信号付加部４０は、該付加処理を実行することなく、入力されたコンポジット信号やコンポーネント信号をそのまま、それぞれ、ＬＡＮケーブル用出力端子２５ａの、Ｒ出力触子２５Ｒ、Ｇ出力接触子２６Ｇ、及びＢ出力接触子２５Ｂに出力する。また、同期信号有無・正負判定部４１は、信号受信器３の同期信号分離部５０に対して、同期信号ＨＤ、ＶＤの分離処理（詳細は後述）を実行しないように指令する。
【００６３】
本実施例では、映像入力ソースの映像信号は、ＲＧＢ信号であり、上述したように、水平同期信号ＨＤ、及び垂直同期信号ＶＤが、入力端子２１Ｈ、及び入力端子２１Ｖを介して、ＲＧＢ信号とは別個に、同期信号有無・正負判定部４１に入力されるので、同期信号有無・正負判定部４１は、当該同期信号ＨＤ、ＶＤを検知して、同期信号ＨＤ、ＶＤが入力されていると判定する。すると、同期信号有無・正負判定部４１は、コンポジット信号やコンポーネント信号が入力された場合と異なり、上述した指令を行わない。
【００６４】
ところで、同期信号ＨＤ、ＶＤは、極性を有しており、該極性は、画像の解像度やディスプレイの機種によって異なる。従って、同期信号有無・正負判定部４１は、同期信号ＨＤ、ＶＤが入力されたと判定すると、同期信号有無・正負判定手段４１は、内部回路の正負判定部４１ａに対して、同期信号ＨＤ、ＶＤの正負の判定を指令し、正負判定部４１ａは、該入力された同期信号ＨＤ、ＶＤの極性を判定する。
【００６５】
ここで、同期信号ＨＤ、ＶＤの極性について、図４に沿って説明する。図４は、ＲＧＢ信号の一例を示す波形図で、（ａ）は１画面あたりの波形、（ｂ）は垂直同期信号ＶＤの波形、（ｃ）は水平同期信号ＨＤの波形を示している。同図（ａ）、（ｂ）、（ｃ）は、色信号として、Ｂ信号Ｂのみを示しており、図中上方から順に、Ｂ信号Ｂ、水平同期信号ＨＤ、垂直同期信号ＶＤの波形を示している。
【００６６】
垂直同期信号ＶＤの周期は、１画面あたりの周期を表すので、図４（ａ）に示すように、垂直同期パルスＶＤＰが出力する、時点ｔ０から、次に垂直同期パルスＶＤＰが出力する、時点ｔ１０までが、１画面あたりの周期である。従って、当該周期毎に、垂直同期パルスＶＤＰが出力され、その間の、例えば時点ｔ２からｔ１０の間で、１画面あたりのＢ信号Ｂが、常にグランドＧＮＤに対して正方向（図中上方）に出力される。
【００６７】
図４（ｂ）は、同図（ａ）の時点ｔ０からｔ２までの時間軸を拡大した垂直同期信号ＶＤを示している。例えば、時点ｔ０からｔ１にかけて出力する、垂直同期パルスＶＤＰは、グランドＧＮＤに対して正方向にあり、従って、当該垂直同期信号ＶＤの極性は正である。一方、垂直同期パルスＶＤＰが、グランドＧＮＤに対して負方向（図中下方）にある場合は、その極性は負である。
【００６８】
図４（ｃ）は、同図（ｂ）の時点ｔ２からｔ８までの時間軸を拡大した水平同期信号ＨＤを示している。水平同期信号ＨＤの周期は、１走査線あたりの周期を表すので、水平同期パルスＨＤＰが出力する、時点ｔ２から、次に水平同期パルスＨＤＰが出力する、時点ｔ６までが、１走査線あたりの周期である。当該周期毎に、水平同期パルスＨＤＰが出力され、その間の、例えば時点ｔ４からｔ５の間で、１走査線あたりのＢ信号Ｂが出力される。
【００６９】
例えば、時点ｔ２からｔ３にかけて出力する、水平同期パルスＨＤＰは、グランドＧＮＤに対して正方向（図中上方）にあり、当該水平同期信号ＨＤの極性は正である。一方、水平同期パルスＨＤＰが、グランドＧＮＤに対して負方向（図中下方）にある場合は、その極性は負である。
【００７０】
従って、正負判定部４１ａは、垂直同期パルスＶＤＰ、及び水平同期パルスＨＤＰが、グランドＧＮＤに対して正方向又は負方向のいずれにあるかを検出して、同期信号ＨＤ、ＶＤの極性を判定する。
【００７１】
ところで、同期信号負極性化部４２は、インバータなどにより入力された同期信号ＨＤ、ＶＤの極性を反転する処理を実行するが、正負判定部４１ａが、同期信号ＨＤ、ＶＤの極性を負と判定した場合、同期信号負極性化部４２に対して、当該反転処理を実行しないように指令する。従って、同期信号負極性化部４２は、入力された同期信号ＨＤ、ＶＤの極性を反転することなく、極性が負のまま、当該同期信号ＨＤ、ＶＤを同期信号付加部４０に出力する。
【００７２】
一方、同期信号ＨＤ、ＶＤの極性を正と判定した場合、正負判定部４１ａは、同期信号負極性化部４２に対して上記指令を行わない。従って、同期信号負極性化部４２は、入力された同期信号ＨＤ、ＶＤの極性を反転し、該極性を反転した同期信号ＨＤ、ＶＤ、つまり、極性が負の同期信号ＨＤ、ＶＤを、同期信号付加部４０に出力する。
【００７３】
即ち、同期信号ＨＤ、ＶＤは、常に極性が負にされた形で、同期信号負極性化部４２から同期信号付加部４０に出力されることとなり、同期信号付加部４０は、極性が負の同期信号ＨＤ、ＶＤが入力されると、該入力された同期信号ＨＤ、ＶＤの付加処理を実行する。
【００７４】
ここで、同期信号ＨＤ、ＶＤの付加処理について、図５に沿って説明する。図５は、同期信号ＨＤ、ＶＤを重畳させた色信号の一例を示す波形図で、（ａ）は重畳された垂直同期信号ＶＤの波形、（ｂ）は重畳された水平同期信号ＨＤの波形を示している。同図（ａ）、（ｂ）は、それぞれ、図中上方から順に、同期信号ＨＤ、ＶＤが重畳される前のＢ信号Ｂと、同期信号ＨＤ、ＶＤが重畳された後のＢ信号ＢＰとを示している。
【００７５】
図５（ａ）中上方に示す、同期信号ＨＤ、ＶＤが重畳される前の、Ｂ信号Ｂは、図４（ａ）に示すＡ部を拡大した波形に相当する。従って、図５（ａ）中の時点ｔ２０、ｔ２１、ｔ２２は、図４（ａ）、（ｂ）中の時点ｔ０、ｔ１、ｔ２に対応している。
【００７６】
同期信号付加部４０は、同期信号負極化部４２から受けた、極性が負の垂直同期信号ＶＤを、例えば加算回路により、同期させた形で（つまり時間軸を固定して）、いずれかの色信号Ｒ、Ｇ、Ｂに重畳させる。例えば、図４（ｂ）中下方に示す垂直同期信号ＶＤを、Ｂ信号Ｂに重畳させると、垂直同期信号ＶＤとＢ信号Ｂは、図５（ａ）中下方に示す、垂直同期信号ＶＤが重畳されたＢ信号ＢＰとして、１つの信号に合成され、該Ｂ信号ＢＰには、例えば時点ｔ２０からｔ２１の間に、負方向に反転された垂直同期パルスＶＤＰが付加される。
【００７７】
次いで、図５（ｂ）は、同図（ａ）の時点ｔ２２以降の波形を、図４（ｃ）と同じ時間軸に拡大したものである。従って、図５（ａ）中の時点ｔ２２、ｔ２３、…、ｔ２９は、図４（ａ）中の時点ｔ２、ｔ３、…、ｔ９に対応している。
【００７８】
同期信号付加部４０は、垂直同期信号ＶＤと同様に、同期信号負極化部４２から受けた、極性が負の水平同期信号ＨＤを、例えば加算回路により、同期させた形で（つまり時間軸を固定して）、いずれかの色信号Ｒ、Ｇ、Ｂに重畳させる。例えば、図４（ｃ）中下方に示す水平同期信号ＨＤを、Ｂ信号Ｂに重畳させると、水平同期信号ＨＤとＢ信号Ｂは、図５（ｂ）中下方に示す、水平同期信号ＨＤが重畳されたＢ信号ＢＰとして、１つの信号に合成され、該Ｂ信号ＢＰには、例えば、時点ｔ２０からｔ２１の間、時点ｔ２６からｔ２７に間、及び時点ｔ２８からｔ２９の間に、負方向に反転された水平同期パルスＨＤＰが付加される。
【００７９】
なお、同期信号ＨＤ、ＶＤが重畳される色信号は、特にＢ信号Ｂである必要はなく、例えば、Ｒ信号Ｒ又はＧ信号Ｇでもよい。また、水平同期信号ＨＤ及び垂直同期信号ＶＤの両方を、必ずしも同じ色信号（例えばＢ信号Ｂのみ）に重畳させる必要はなく、例えば、水平同期信号ＨＤを、Ｒ信号Ｒに重畳させ、垂直同期信号ＶＤを、Ｇ信号Ｇに重畳させることも可能である。
【００８０】
こうして、同期信号付加部４０は、水平同期信号ＨＤと垂直同期信号ＶＤの両信号を、Ｂ信号Ｂに重畳して、１つのＢ信号ＢＰに合成すると、Ｒ信号Ｒ、Ｇ信号Ｇ、及び同期信号ＨＤ、ＶＤが重畳されたＢ信号ＢＰを、それぞれ、ＬＡＮケーブル用出力端子２５ａのうち、出力接触子２５Ｒ、２５Ｇ、２５Ｂに出力する。
【００８１】
一方、ＡＤ変換部４３には、既に述べたように、ＲＧＢ信号と共に、音声信号ＬＡ、ＲＡが入力されている。音声信号ＬＡ、ＲＡは、アナログ信号であり、ＡＤ変換部４３は、入力された音声信号ＬＡ、ＲＡを、所定のサンプリング周波数に応じて量子化して、２進数のデジタル信号に変換し、該変換された音声信号（以下、「デジタル音声信号ＬＡＤ、ＲＡＤ」という）を、データ加工部４４に出力する。データ加工部４４は、入力されたデジタル音声信号ＬＡＤ、ＲＡＤを、シリアル信号の音声信号（以下、「シリアル音声信号ＬＲＡＤ」という）に変換する。
【００８２】
具体的には、データ加工部４４は、１回のサンプリングに対して、左のデジタル音声信号ＬＡＤと右のデジタル音声信号ＲＡＤを、所定の順番に配列していく。順番は、いずれのデジタル音声信号ＬＡＤ、ＲＡＤを先にしてもよいが、ここでは、左のデジタル音声信号ＬＡＤ、右のデジタル音声信号ＲＡＤの順番で、配列するように設定されているものとする。このように、１回のサンプリングに対応して配列されたデジタル音声信号ＬＡＤ、ＲＡＤによって、１組の音声データが構成される。こうして、データ加工部４４は、デジタル音声信号ＬＡＤ、ＲＡＤを順次配列していき、上記デジタル音声信号ＬＡＤ、ＲＡＤをシリアル化する。
【００８３】
また、１回のサンプリングに対するデジタル音声信号ＬＡＤ、ＲＡＤは、それぞれ、所定のビット長（例えば１６ビット）で示されるが、１ビットあたりの時間幅は、サンプリング周波数に関係なく、信号送信器２及び信号受信器３の処理能力に応じて、比較的短く設定することが出来る。従って、シリアル音声信号ＬＲＡＤには、デジタル音声信号ＬＡＤとデジタル音声信号ＲＡＤとの間や、２組の音声データの間に、音声データのない領域（以下、「非データ領域ＮＤＡ」という）が設けられており、データ加工部４４は、該非データ領域ＮＤＡに、１回のサンプリングごとの区切りを示す、特定のパターンを設ける。
【００８４】
一方、同期信号有無・正負判定部４１（正負判定部４１ａ）は、既に述べたように、入力された同期信号ＨＤ、ＶＤの極性を判定するが、同時に、該判定結果に基づく同期信号ＨＤ、ＶＤの極性情報ＰＩとして、例えば、極性が正の場合は「１」、また負の場合は「０」の信号を、データ加工部４４に出力する。データ加工部４４は、入力された極性情報ＰＩを、上記シリアル音声信号ＬＲＡＤの非データ領域ＮＤＡに付加する。こうして、データ加工部４４は、極性情報ＰＩが付加された音声信号ＬＲＡＰＩを、ＬＡＮケーブル用出力端子２５ａのうち、出力接触子２５Ａに出力する。
【００８５】
このように、デジタル音声信号ＬＡＤ、ＲＡＤの非データ領域ＮＤＡを、有効に活用することにより、後述する信号受信器３側で音声信号を復元するための、極性情報ＰＩと、デジタル音声信号ＬＡＤ、ＲＡＤを、１つの信号に合成することが出来る。また、非データ領域ＮＤＡには、極性情報ＰＩ以外のデータを付加することも出来る。例えば、映像入力ソースのオン／オフ情報、選択スイッチにより選択された入力チャンネルの情報など、デジタル信号で表示できるものであればいずれのデータであってもよい。
【００８６】
なお、信号送信器２に入力される音声信号ＬＡ、ＲＡは、アナログ信号に限らず、デジタル信号であってもよい。その場合、ＡＤ変換部４３によるＡＤ変換が必要なくなり、信号送信器２の構成を簡単な構成とすることが出来る。また、信号送信器２に入力される音声信号ＬＡ、ＲＡは、ステレオ信号に限られず、モノラル信号でもよく、更に、ステレオ信号のような２つの音声信号に限られず、例えばドルビー（登録商標）ステレオなどの３以上の音声信号であってもよい。
【００８７】
こうして、ＬＡＮケーブル用出力端子２５ａを構成する、出力接触子２５Ｒ、２５Ｇ、２５Ｂ、２５Ａから、それぞれ、Ｒ信号Ｒ、Ｇ信号Ｇ、同期信号ＨＤ、ＶＤが重畳されたＢ信号ＢＰ、及び極性情報ＰＩが付加された音声信号ＬＲＡＰＩが、信号受信器３へ出力される。
【００８８】
Ｒ信号Ｒ、Ｇ信号Ｇ、及び同期信号ＨＤ、ＶＤが重畳されたＢ信号ＢＰ、は、ＬＡＮケーブル５のうち、信号線５Ａ、５Ｂ、５Ｃ、及びＬＡＮケーブル用入力端子３１のうち、入力接触子３１Ｒ、３１Ｇ、３１Ｂを介して、信号受信器３の同期信号分離部５０に入力される。また、極性情報ＰＩが付加された音声信号ＬＲＡＰＩは、ＬＡＮケーブル５のうち信号線５Ｄ、及びＬＡＮケーブル用入力端子３１のうち入力接触子３１Ａを介して、信号受信器３の音声信号復元部５２に入力される。
【００８９】
同期信号分離部５０は、同期信号ＨＤ、ＶＤが重畳されたＢ信号ＢＰから、同期信号ＨＤ、ＶＤを分離（分離処理）する。具体的には、例えば、コンパレータにより、所定電圧値（例えば同期信号ＨＤ、ＶＤの半分の電位）と比較して、水平同期信号周ＨＤ及び垂直同期信号ＶＤを検出し、その後、例えば、クリップ回路により、同期信号ＨＤ、ＶＤが重畳されたＢ信号ＢＰから、極性が負の同期信号ＨＤ、ＶＤを除去する。
【００９０】
このように、同期信号ＨＤ、ＶＤとＢ信号Ｂの極性は、グランドＧＮＤに対して反転した関係にあるので、複雑な回路を構成することなく、上述した簡単な構成で、同期信号ＨＤ、ＶＤが重畳されたＢ信号ＢＰから、同期信号ＨＤ、ＶＤを容易に分離することが出来る。
【００９１】
そして、同期信号分離部５０は、分離された、極性が負の同期信号ＨＤ、ＶＤを、同期信号復元部５１に出力する。一方、音声信号復元部５２は、シリアル音声信号ＬＲＡＰＩの非データ領域ＮＤＡから、極性情報ＰＩを分離すると共に、分離された極性情報ＰＩを同期信号復元部５１に出力する。
【００９２】
同期信号復元部５１は、音声信号復元部５２から受けた、極性情報ＰＩに基づいて、同期信号分離部５０から受けた、極性が負の同期信号ＨＤ、ＶＤから、信号送信器２に入力された同期信号ＨＤ、ＶＤを復元する。例えば、同期信号復元部５１は、極性情報ＰＩが１の場合、極性が正であるとして、同期信号ＨＤ、ＶＤの極性を反転し、一方、極性情報ＰＩが０の場合、極性が負であるとして、同期信号ＨＤ、ＶＤの極性を反転させない。
【００９３】
一方、音声信号復元部５２は、シリアル音声信号ＬＲＡＰＩの非データ領域ＮＤＡから、極性情報ＰＩを分離すると、非データ領域ＮＤＡに設けられた特定のパターンに基づいて、極性情報ＰＩが分離された音声信号ＬＲＡＰＩを、左のデジタル音声信号と右のデジタル音声信号とに分離して、デジタル音声信号ＬＡＤ、ＲＡＤを復元する。
【００９４】
音声信号復元部５２は、復元したデジタル音声信号ＬＡＤ、ＲＡＤを、ＤＡ変換部５３に出力し、ＤＡ変換部５３は、入力されたデジタル音声信号ＬＡＤ、ＲＡＤをＤＡ変換して、信号送信器２に入力された状態である、アナログ信号の音声信号ＬＡ、ＲＡを復元する。
【００９５】
こうして、同期信号分離部５０は、Ｒ信号Ｒ、Ｇ信号Ｇ、及び同期信号ＨＤ、ＶＤを分離したＢ信号ＢＰ、即ち、Ｂ信号Ｂを、それぞれ、信号受信器３のＢＮＣケーブル用出力端子３２のうち、Ｒ出力端子３２Ｒ、Ｇ出力端子３２Ｇ、及びＢ出力端子３２Ｂに出力する。また、同期信号復元部５１は、復元した水平同期信号ＨＤ、及び垂直同期信号ＶＤを、それぞれ、ＢＮＣケーブル用出力端子３２のうち、ＨＤ出力端子３２ＨＤ、及びＶＤ出力端子３２ＶＤに出力する。更に、ＤＡ変換部５３は、復元した音声信号ＬＡ、ＲＡを、それぞれ、信号受信器３の音声出力端子３３を構成する、左音声出力端子３３Ｌ、及び右音声出力端子３３Ｒに出力する。
【００９６】
そして、色信号Ｒ、Ｇ、Ｂ、及び同期信号ＨＤ、ＶＤは、ＢＮＣケーブル６Ｂを介して、また、音声信号ＬＡ、ＲＡは、ＲＣＡケーブル７Ｂを介して、プラズマディスプレイ１０に入力される。同期信号ＨＤ、ＶＤは、上述したように、信号送信器２に入力された極性の状態で、プラズマディスプレイ１０に入力されるので、プラズマディスプレイ１０により、同期のとれた適正な映像が表示される。また、ＲＧＢ信号に同期された音声信号ＬＡ、ＲＡも、プラズマディスプレイ１０に入力されるので、プラズマディスプレイ１０により、当該映像と共に音声が出力されることとなる。
【００９７】
なお、映像入力ソースの映像信号として、コンポジット信号やコンポーネント信号が入力された場合、既に述べたように、信号送信部２の同期信号有無・正負判定部４１は、同期信号分離部５０に対して、上述した分離処理を実行しないように指令しているので、同期信号分離部５０は、分離処理を実行することなく、入力されたコンポジット信号やコンポーネント信号を、そのままＲ出力端子３２Ｒ、Ｇ出力端子３２Ｇ、Ｂ出力端子３２Ｂを介して、プラズマディスプレイ１０に出力することとなる。
【００９８】
このように、本発明に係るケーブル延長装置１は、ＬＡＮケーブル５などの４本の信号線を用いるものでありながら、色信号Ｒ、Ｇ、Ｂと同期信号ＨＤ、ＶＤの、５つの信号に加えて、音声信号ＬＡ、ＲＡの、２つの信号を、映像入力ソースから、該映像入力ソースから離れた位置にある、映像出力装置に伝送することが出来る。これにより、映像と音声による効果的なプレゼンテーションを実現することが出来る。
【００９９】
また、４本の信号線からなる、例えばＬＡＮケーブル５を用いることが出来るので、ＢＮＣケーブルやＤＳＵＢケーブルなどを用いる必要がなくなり、ケーブルに伴うコストを低減することが出来る。更に、上記ＬＡＮケーブル５は、ＢＮＣケーブルやＤＳＵＢケーブルに比べてケーブル径が細く、柔らかいため、ケーブルの取り扱いや工事が容易になり、好都合である。
【０１００】
なお、信号送信器２と信号受信器３を接続するケーブルの一例として、ＬＡＮケーブル５を示したが、４本の信号線であればいずれのケーブルであってもよい。但し、ノイズを低減することが出来る点で、ＬＡＮケーブル５のようなツイストペア線が好ましい。
【０１０１】
また、本発明の実施の形態において、映像入力ソースと信号送信器２を、ＢＮＣケーブル６Ａを介して接続した例を示したが、これに限らず、例えばＤＳＵＢケーブルを介して接続した場合であっても、本発明を適用できるのは勿論である。
【図面の簡単な説明】
【図１】図１は、本発明が適用される、ケーブル延長装置の一例を示す外観図である。
【図２】図２は、信号送信器及び信号受信器の一例を示す外観図であり、（ａ）は信号送信器の背面図、（ｂ）は信号受信器の背面図である。
【図３】図３は、信号送信器及び信号受信器の構成の一例を示すブロック図である。
【図４】図４は、ＲＧＢ信号の一例を示す波形図で、（ａ）は１画面あたりの波形、（ｂ）は垂直同期信号の波形、（ｃ）は水平同期信号の波形である。
【図５】図５は、同期信号を重畳させた色信号の一例を示す波形図で、（ａ）は重畳された垂直同期信号の波形、（ｂ）は重畳された水平同期信号の波形である。
【符号の説明】
１……ケーブル延長装置
２……信号送信器
３……信号受信器
５……カテゴリ５のＬＡＮケーブル
５Ａ、５Ｂ、５Ｃ、５Ｄ……４本の信号線（信号線）
４０……同期信号重畳出力手段（同期信号付加部）
４１……同期信号別個入力判定手段、同期信号極性判定指令手段（同期信号有無・正負判定部）
４１ａ……同期信号極性判定手段（正負判定部）
４２……同期信号極性反転手段（同期信号負極性化部）
４３……音声信号受付手段、ＡＤ変換手段、シリアル変換手段（ＡＤ変換部）
４４……極性情報付加手段、音声信号送信手段、シリアル変換手段（データ加工部）
５０……同期信号分離手段（同期信号分離部）
５１……同期信号復元出力手段（同期信号復元部）
５２……極性情報分離手段、音声信号復元手段（音声信号復元部）
５３……音声信号出力手段、ＤＡ変換手段、音声信号復元手段（ＤＡ変換部）
ＢＰ……同期信号を重畳した色信号
ＨＤ、ＶＤ……同期信号
ＬＡ、ＲＡ……音声信号
ＬＡＤ、ＲＡＤ……デジタル信号に変換した音声信号
ＬＲＡＤ……シリアル信号に変換した音声信号（シリアル音声信号）
ＬＲＡＰＩ……極性情報を付加した音声信号
ＮＤＡ……非データ領域
ＰＩ……同期信号の極性情報
Ｒ、Ｇ、Ｂ……Ｒ、Ｇ、Ｂの色信号（Ｒ信号、Ｇ信号、Ｂ信号）
【図１】
2004328661.tif 000003
【図２】
2004328661.tif 000004
【図３】
2004328661.tif 000005
【図４】
2004328661.tif 000006
【図５】
2004328661.tif 000007